(57)【要約】  本発明は、開口１３を画定する縁部１２を有するカップ形キャップ４、および前記縁部１２に沿って延びるように配置された環状要素７を有するイヤーマフ３であって、カップ形キャップ４および環状要素７が係止手段９によって互いに固定されたイヤーマフ３に関する。このイヤーマフ３は、カップ形キャップ４と環状要素７の間に、それらに接触するように配置された少なくとも１つの均圧手段６をさらに有することを特徴とする。
2008520337.tif 000002
【特許請求の範囲】
【請求項１】
開口（１３）を画定する縁部（１２）を有するカップ形キャップ（４）、および前記縁部（１２）に沿って延びるように配置される環状要素（７）を有するイヤーマフ（３）であって、前記カップ形キャップ（４）および前記環状要素（７）が係止手段（９）によって互いに固定されたイヤーマフ（３）において、
前記イヤーマフ（３）が、前記カップ形キャップ（４）と前記環状要素（７）の間に、それらに接触するように配置された少なくとも１つの均圧手段（６）をさらに有しており、
前記少なくとも１つの均圧手段（６）は、前記カップ形キャップ（４）と前記環状要素（７）の間の、前記係止手段（９）の係合面に配置されており、また
前記係合面は、前記開口（１３）に沿って延び且つ所定の幅を有する幾何的な帯を画定し、前記均圧手段（６）は、前記係合面の幅の第１の部分に沿って前記開口（１３）に沿って延びるように配置されている
ことを特徴とするイヤーマフ（３）。
【請求項２】
前記カップ形キャップ（４）と前記環状要素（７）とが、前記係合面の幅の第２の部分に沿って互いに直接接している請求項１に記載のイヤーマフ（３）。
【請求項３】
前記均圧手段（６）が環状である請求項１または請求項２に記載のイヤーマフ（３）。
【請求項４】
前記均圧手段（６）が弾性インサート（６）を含む請求項１から請求項３までのいずれか一項に記載のイヤーマフ（３）。
【請求項５】
前記均圧手段（６）が高分子材料で製造されている請求項１から請求項４までのいずれか一項に記載のイヤーマフ（３）。
【請求項６】
前記係止手段（９）がスナップ・ロック（９）を含む請求項１から請求項５までのいずれか一項に記載のイヤーマフ（３）。
【請求項７】
前記スナップ・ロック（９）が、前記カップ形キャップ（４）の係合面に配置された突起部（１５）、および前記環状要素（７）の係合面に配置された凹部（１９）を有し、
前記均圧手段（６）が前記凹部（１９）内に配置されている
請求項１から請求項６までのいずれか一項に記載のイヤーマフ（３）。
【発明の詳細な説明】
【技術分野】
【０００１】
本発明は一般に、開口を画定する縁部を有するカップ形キャップと、前記縁部に沿って延びるように構成された環状要素とを有するイヤーマフであって、カップ形キャップおよび環状要素が係止手段によって互いに固定されるイヤーマフに関する。
【背景技術】
【０００２】
一般的なタイプの防音保護具は、２つのイヤーマフ、およびイヤーマフを互いに接続するヘッドバンドを有している。
【０００３】
従来型のイヤーマフは通常、カップ形キャップ、環状の底部プレート、底部プレートに接続され、使用者の頭部に接するように配置されたパッド入りの密閉リング、およびフォーム・プラスチックで製造可能で、キャップ内に配置される詰め物を有している。カップ形キャップおよび環状の底部プレートは、従来型のスナップ・ロックによって互いにしっかりと固定される。従来型のスナップ・ロックは、例えばキャップの開口部に沿って延びる突起部を備えたキャップによって与えられる。突起部は、キャップの開口部の内側に形成される。底部プレートは、キャップの開口部内に所定の距離だけ延びるように配置された接続部を有している。接続部は、外側に周縁溝を有している。溝は突起部と協働して、キャップおよび底部プレートを共にしっかりと保持する。
【０００４】
しかし、先の記述に従って同じ方法で製造された２つのイヤーマフが、異なる周波数範囲の音に対して異なる減衰特性を示す傾向があることが分かっている。減衰が異なると、第１のイヤーマフはある周波数範囲内の音をかなりよく減衰させるが、同時に第２のイヤーマフによる同じ周波数範囲内の音の減衰は相対的に不十分になる。
【０００５】
このことは、同一の防音保護具の２つのイヤーマフが異なる消音能力を示す危険があることを意味しており、そのため、使用者はある特定の音を、一方の耳ではある方法で捉え、他方の耳では別の方法で捉えることになる。使用者が音の方向を判断するのが困難になり、それによって作業場で危険が生じる恐れがあるため、これは欠点である。
【０００６】
この違いのために、イヤーマフを特定の目的に適合させることも難しくなる。イヤーマフを特定の目的に適合させることとは、例えばある特定の周波数範囲における消音能力を改善するという要求を満足させることを意味する。問題はとりわけ、前述のように同じタイプの異なるイヤーマフで、ある特定の周波数範囲の音を減衰させる程度が異なることである。第１の周波数範囲で優れた消音能力を有するようにイヤーマフを調整すると、実際には、第２の周波数範囲で劣った減衰能力を容認することが必要になる。前述のタイプの異なるイヤーマフにおける減衰能力の違いが、前記第１の周波数範囲と前記第２の周波数範囲の隔たりと同程度になる可能性も十分にある。
【発明の開示】
【発明が解決しようとする課題】
【０００７】
先に言及したことを考慮して、本発明の目的は、改善されたイヤーマフを提供することである。
【０００８】
本発明の特別な目的は、一貫性のある消音能力を有するイヤーマフを提供することである。一貫性のある消音能力とは、例えば同じタイプのものであり、且つ同じ方法で製造された２つのイヤーマフが、本質的に同じ消音能力を有することを意味する。
【０００９】
本発明の他の目的は、改善された消音能力を有するイヤーマフを提供することである。
【００１０】
本発明の他の目的は、設計に大きい自由度を与えるイヤーマフの基本構造を提供することである。
【課題を解決するための手段】
【００１１】
前述の目的の少なくとも１つ、そしてまた以下の記述から明らかになる他の目的を達成するために、請求項１に規定したイヤーマフが本発明に従って提供され、また好ましい実施例が従属請求項に記載されている。
【００１２】
特に、開口を画定している縁部を有するカップ形キャップ、および前記縁部に沿って延びるように配置された環状要素を有し、カップ形キャップおよび環状要素が係止手段によって互いに固定されたイヤーマフが提供される。イヤーマフは、カップ形キャップと環状要素の間に、それらに接触するように配置された少なくとも１つの均圧手段をさらに有することを特徴とする。
【００１３】
結果として、カップ形キャップと環状要素の間の張力または圧力がキャップの開口部分のまわりで実質的に均一に分配された改良イヤーマフが提供される。例えば製造時に生じ、キャップと環状要素の間の音の伝達に違いをもたらすことになる形状や剛性などに関連する違いの影響が、均圧手段によってかなり解消される。本発明のイヤーマフの特定の利点は、２つのイヤーマフが同様の消音能力を得ることである。他の利点は、イヤーマフを様々な環境および特定の周波数範囲の音に適合させることができることである。また、使用者が音を両方の耳によって同じ方法で感知するという利点ももたらされ、このことは、音源がどこに配置されているかを確認しやすくなるため有利である。
【００１４】
環状とは必ずしも円形に限定されないが、そのリング形状が、中央開口のまわりに延びる要素を画定していることに留意すべきである。リングの形状は、ほぼ正方形であるか、または他の形を有することができる。他のどのような構成要素と協働するように配置されるかに応じて、様々な断面形状を有する環状要素を形成することが可能である。
【００１５】
前記少なくとも１つの均圧手段は、カップ形キャップと環状要素の間の、前記係止手段の係合面に配置される。均圧手段が係合面に配置されることによって、キャップと環状要素の間に圧力を均一化する力の伝達が実現され、それが一貫性のある音の伝達を高める。
【００１６】
係合面は、開口に沿って延びる、所定の幅を有する幾何的な帯を画定する。均圧手段は、係合面の幅の第１の部分に沿った開口に沿って延びるように配置される。均圧手段が開口に沿って延びることによって、キャップおよび環状要素の周縁部全体に沿って、一貫性のある力の伝達が得られる。
【００１７】
カップ形キャップおよび環状要素は、係合面の幅の第２の部分に沿って互いに直接接することが可能であり、それによって、キャップと環状要素の間に寸法安定性のある接触が得られるという利点がもたらされる。
【００１８】
均圧手段は環状要素を含むことも可能であり、それによって、均圧手段を簡単な方法で製造することができるという利点がもたらされる。環状とは、均圧手段が長さ方向にリングの形を有していることを意味する。このことはまた、均圧手段がカップ形キャップと環状要素の間の接続の堅さを保証するのに役立つことも意味する。したがってカップ形キャップおよび環状要素の製造時の許容誤差を大きくすることが可能になる。
【００１９】
均圧手段は弾性のインサートを含むことが可能であり、それによって均圧手段を簡単且つ安価な方法で製造することが可能になる。さらに、弾性のインサートは、係止手段における張力を維持するのを助けることができる。
【００２０】
弾性のインサートは高分子材料で製造することが可能であり、それによって弾性のインサートを簡単且つ安価な方法で製造することができるという利点がもたらされる。
【００２１】
カップ形キャップおよび環状要素を、簡単で安価な、且つ時間効率のよい方法で相互に固定するために、係止手段はスナップ・ロックを含むことができる。
【００２２】
スナップ・ロックとは、２つの部分を有する固定装置を意味する。係止する際には、一方の部分がもう一方の部分に押しつけられ、一時的な弾性変形によってこのもう一方の部分にはまり、２つの部分を互いに係止する。好ましい実施例では、スナップ・ロックは、キャップの開口部分に沿って延びる突起部を備えたキャップによって提供される。突起部は、キャップの開口部分の内側に形成される。環状要素は、キャップの開口部分内に所定の距離だけ延びるように構成されたフランジを有する。フランジはその外側に円周状凹部を有する。凹部は突起部と協働して、キャップおよび環状要素を共にしっかりと保持する。
【００２３】
均圧手段を前記凹部内に配置することが可能である。均圧手段の配置によって、均圧手段が凹部内でその位置を容易に保つようになるため、取り付けが簡単になるという利点がもたらされる。またそれによって、均圧手段が、通常キャップと環状要素の間で最大の力の伝達が行われる位置に配置されるという利点ももたらされる。
【００２４】
弾性インサートは、円形、正方形、三角形またはＨ形の断面を有することができる。弾性インサートは、均一断面、または様々な断面形状の管などの中空断面を有することができる。
【００２５】
次に、本発明の好ましい実施例を、例示的なものとして添付図面を参照して記述する。
【００２６】
明細書全体にわたって、同様の機能を有する構成要素には同じ参照番号が与えられている。
【実施例】
【００２７】
図１は、ヘッドバンド２および２つのイヤーマフ３を有する防音保護具１を示している。イヤーマフ３は、ヘッドバンド２の各端部に接続されている。使用時には、使用者（図示せず）はイヤーマフ３をそれぞれの耳に載せ、ヘッドバンド２はイヤーマフ３を使用者の頭部の適所に保持する。
【００２８】
イヤーマフ３を図２〜４にさらに詳しく示してあり、次にそれらを参照する。イヤーマフ３は、カップ形キャップ４、詰め物材料５、均圧手段６、環状要素７、および密閉リング８を有している。詰め物材料５は、カップ形キャップ４の空洞内に配置される。環状要素７の遠い側面、すなわち使用者から離れた方向を向いた側面は、スナップ・ロック９の形の係止要素９によってカップ形キャップ４に固定される。スナップ・ロック９は、第１および第２の部分１０、１１を有している。第１の部分１０はカップ形キャップ４上に配置され、第２の部分１１は環状要素７上に配置されている。均圧手段６は、スナップ・ロック９の第１の部分１０と第２の部分１１の間の係合面に配置され、その両方に接触している（図３および図４参照）。密閉リング８は、第２のスナップ・ロック（図示せず）によって環状要素７の前面、すなわち使用者に面する側面に固定される。
【００２９】
キャップ４はカップの形であり、キャップの開口１３を画定している端部１２を有する。図２および図３に示すように、キャップ４の開口１３は、半球によって囲まれた空間に似た空間を画定している。
【００３０】
使用者および囲まれた空間から離れた方向を向いた側面であるキャップ４の外側には、２つの固定手段１４が配置されている。例えば２つのピンとすることができる固定手段１４は、ヘッドバンド２をキャップ４に固定するように配置される。
【００３１】
使用者および囲まれた空間に面する側面であるキャップ４の内側には、前記スナップ・ロック９の第１の部分１０が配置されている。第１の部分１０は、キャップ４の開口部分１６の内側の周囲に延びる突起部１５を有している。開口部分１６は、組み立てられた状態において一方では均圧手段６と係合および接触するようになっている係合面であって、他方ではスナップ・ロック９の第２の部分１１の対応する係合面と係合および接触するようになっている係合面を有している。
【００３２】
図示した実施例では、突起部５およびキャップ４は、高分子材料でできた一体物として製造されている。各部分を別々に製造した後、例えば接合や接着などによる適切な方法で組み立てることも可能であることが理解されよう。
【００３３】
環状要素７は前面および裏面を有し、前面は密閉リング８に面する（したがってまた使用者に面する）側面であり、裏面はキャップ４に面する（したがってまた使用者から離れた方向を向いた）側面である。底部プレートと呼ばれる環状要素７は、前面から裏面へ延びる貫通孔１７を有している。
【００３４】
スナップ・ロック９の第２の部分１１は、環状要素７の裏面に形成されている。第２の部分１１は、環状要素７のまわりに周縁フランジ１８として延びている。第２の部分１１は、カップ形キャップ４の開口１３の形に一致する大きさを有している。フランジ１８の貫通孔１７から離れた方向を向いた側面には、凹部１９が形成されている。凹部１９は、カップ形キャップ４の突起部１５を補う形を有している。フランジ１８は、凹部１９と同じ側面に係合面を有している。図２〜４では、凹部１９の面は、組み立てられた状態で、均圧手段６およびキャップ４の係合面と接触する係合面に含まれている。第２の部分１１は、従来技術の対応する部分に比べて低い高さに形成することが可能であり、それによって、キャップ４の形についての要求が減るという利点がもたらされることに言及されるべきである。
【００３５】
均圧手段６は、図示した環状で可撓性のあるインサート６の実施例になっている。インサート６は断面が円形である。インサート６は、カップ形キャップ４と環状要素７の間に配置されている。インサート４は、カップ形キャップ４と環状要素７の両方とそれぞれの係合面で接触している。カップ形キャップ４と環状要素７の間に均圧手段６を配置することによって、スナップ・ロック９の第１の部分１０と第２の部分１１の間で圧力が均一化される。均圧手段によって、スナップ・ロック９の第１および第２の部分１０、１１におけるばらつきの影響がなくなり、あるいは少なくとも軽減される。また均圧手段６によって、カップ形キャップ４と環状要素７の製造時の許容誤差を大きくすることができるという利点がもたらされ、それによって製造コストが削減される。この理由は、均圧手段６がキャップ４と環状要素７の間にシールを提供するのを助けるからである。
【００３６】
均圧手段６は環状要素７の第２の部分１１の凹部１９内に配置され、それを図３および図４に示してある。取り付けられた状態では、キャップ４のスナップ・ロック９の突起部１５が、均圧手段６を環状要素７のスナップ・ロック９の凹部１９に押しつける。
【００３７】
本発明は前述の実施例に限定されず、また当業者には、特許請求の範囲で定める本発明の範囲内で前述のイヤーマフに変更を加えることが可能であることが理解されよう。
【００３８】
例えば、スナップ・ロック機能を提供するように適合させた凹部の外側にも、弾性のインサートを配置することが可能である。そのような実施例では、環状部分のフランジが、環状の弾性インサートを受け入れるようになっている他の溝を備えていると有利である。
【図面の簡単な説明】
【００３９】
【図１】本発明の２つのイヤーマフを有する防音保護具の側面図である。
【図２】本発明のイヤーマフの分解図である。
【図３】図１のイヤーマフの線Ｉ−Ｉに沿った横断面図である。
【図４】図３の拡大部分の横断面図である。
【図１】
2008520337.tif 000003
【図２】
2008520337.tif 000004
【図３】
2008520337.tif 000005
【図４】
2008520337.tif 000006
【国際調査報告】
2008520337.tif 000007
2008520337.tif 000008
2008520337.tif 000009